(57)【要約】      （修正有）【課題】車両に洗浄設備をコンパクトに搭載し、当該車両の小型化を図ると共に、収納スペースを充分に確保できる高圧温水洗浄車を提供する。【解決手段】運転席１６の後方に搭載部１１を有する車両１０と、搭載部１１に搭載される高圧温水の洗浄設備２０とを備え、搭載部１１を、前から後に向かって五つのブロックに分ける。第一ブロック１１ａにマフラー２１を配置し、第二ブロック１１ｂに洗浄設備２０用の独立エンジン２２を配置し、第三ブロック１１ｃに高圧水ポンプ２３を配置する。第四ブロック１１ｄの右側部に加熱器用油タンク２４を配置し、左側部に水槽２５を配置する。第五ブロック１１ｅの右側部に油噴霧火花点火式貫流水型加熱器２６を配置し、左側部にホース２８を巻回したホースリール２７を配置する。第五ブロック１１ｅの上部後方に、加熱器操作盤と洗浄設備２０の制御パネルを設ける。【選択図】図１
0003212699.tif 000002
【実用新案登録請求の範囲】
【請求項１】
運転席（１６）の後方に搭載部（１１）を有する車両（１０）と，前記搭載部に搭載される高圧温水の洗浄設備（２０）とを備えた高圧温水洗浄車であって、加熱器用燃料タンクを配置し且つ側壁に開口する収納庫（３５）を設けた前記搭載部を，前から後に向かって五つのブロックに分け、第一ブロック（１１ａ）に，マフラー（２１）を配置し、第二ブロック（１１ｂ）に，前記洗浄設備用であり，前記マフラー（２１）を介して排気する独立エンジン（２２）を配置し、第三ブロック（１１ｃ）に，前記独立エンジン（２２）によって駆動される高圧水ポンプ（２３）を配置し、第四ブロック（１１ｄ）に，水槽（２５）を配置し、第五ブロック（１１ｅ）に，該水槽（２５）の水を導くところの油噴霧火花点火式貫流水型加熱器（２６）を配置すると共に該加熱器（２６）の上部後方に加熱器操作盤（３１）を設け且つその近傍に，圧力調整ハンドル（３２）と排圧バルブ（３３）と圧力計（３４）を取付けた洗浄設備の制御パネル（３０）を設けたことを特徴とする高圧温水洗浄車。
【請求項２】
運転席（１６）の後方に搭載部（１１）を有する車両（１０）と，前記搭載部に搭載される高圧温水の洗浄設備（２０）とを備えた高圧温水洗浄車であって、前記搭載部を，前から後に向かって五つのブロックに分け、第一ブロック（１１ａ）に，マフラー（２１）を配置し、第二ブロック（１１ｂ）に，前記洗浄設備用であり，前記マフラー（２１）を介して排気する独立エンジン（２２）を配置すると共に側壁に開口する収納庫（３５）を設け、第三ブロック（１１ｃ）に，前記独立エンジン（２２）によって駆動される高圧水ポンプ（２３）を配置すると共に側壁に開口する収納庫（３５）を設け、第四ブロック（１１ｄ）に，車両の進行方向右側部に加熱器用油タンク（２４）を配置すると共に，左側部に水槽（２５）を配置し、第五ブロック（１１ｅ）に，その右側部に前記水槽（２５）の水を導くところの油噴霧火花点火式貫流水型加熱器（２６）を配置すると共に，左側部にホース（２８）を巻回したホースリール（２７）を配置し、更に第五ブロックの加熱器の上部後方に加熱器操作盤（３１）を設けると共に，その近傍に，圧力調整ハンドル（３２）と排圧バルブ（３３）と圧力計（３４）を取付けた洗浄設備の制御パネル（３０）を設けたことを特徴とする高圧温水洗浄車。
【請求項３】
運転席（１６）の後方に搭載部（１１）を有する車両（１０）と，前記搭載部に搭載される高圧温水の洗浄設備（２０）とを備えた高圧温水洗浄車であって、前記搭載部を，前から後に向かって五つのブロックに分け、第一ブロック（１１ａ）にマフラー（２１）を配置すると共に車両進行方向左側下部に加熱器用油タンク（２４）を配置すると共に右側下部に軽油タンク（２４ｆ）の前半部を配置し、第二ブロック（１１ｂ）に，前記洗浄設備用であり，前記マフラー（２１）を介して排気する独立エンジン（２２）を配置すると共に，右側下部に軽油タンク（２４ｆ）の後半部を配置し、第三ブロック（１１ｃ）に独立エンジン（２２）によって駆動される高圧水ポンプ（２３）を配置し、第四ブロック（１１ｄ）の下部に，水槽（２５）を配置すると共にその上部に収納庫３５を設け、第五ブロック（１１ｅ）に，加熱器用油タンク（２４）から油が送られると共に水槽（２５）の水を導くところの油噴霧火花点火式貫流水型加熱器（２６）を配置し，第五ブロックの加熱器の上部後方に加熱器操作盤（３１）を設けると共に，その近傍に，圧力調整ハンドル（３２）と排圧バルブ（３３）と圧力計（３４）を取付けた洗浄設備の制御パネル（３０）を設けたことを特徴とする高圧温水洗浄車。
【考案の詳細な説明】
【技術分野】
【０００１】
本考案は、車両に洗浄設備を取付け、その洗浄設備により、高圧の温水をホースから噴射して建物などの汚れを除去する高圧温水洗浄車に関するものである。
【背景技術】
【０００２】
従来から、車両に洗浄設備を搭載した高圧温水洗浄車が多く創案されている（例えば、特許文献１参照）。この高圧温水洗浄車は、車両を、洗浄を必要とする場所に容易に移動することができ、そこで外壁などを洗浄することができるので極めて利便性に優れるといった利点がある。
【先行技術文献】
【特許文献】
【０００３】
【特許文献１】特許第３１１８４０２号公報
【考案の概要】
【考案が解決しようとする課題】
【０００４】
しかし、こうした優れた従来の高圧温水洗浄車にもさらに改善すべき余地がある。例えば、洗浄設備を構成する各装置の配列が充分にコンパクト化されていないため、当該洗浄設備が大型化し、それに伴い大型の車両を必要とする。また、同様の理由で、あらゆる備品を収納するために必要な収納スペースを必ずしも充分に確保できていないといった点にも改善の余地がある。
【０００５】
本考案はこうした点に鑑み創案されたもので、車両に洗浄設備をコンパクトに搭載し、当該車両の小型化を図ると共に、備品を収納するための収納スペースを充分に確保することのできる高圧温水洗浄車を提供することを課題とする。
【課題を解決するための手段】
【０００６】
図面を参考にして説明する。請求項１の考案に係る高圧温水洗浄車を説明する。運転席１６の後方に搭載部１１を有する車両１０と，前記搭載部に搭載される高圧温水の洗浄設備２０とを備えた高圧温水洗浄車であって、加熱器用燃料タンク２４を配置し且つ側壁１３に開口する収納庫３５を設けた前記搭載部を，前から後に向かって五つのブロックに分け、第一ブロック１１ａにマフラー２１を配置し、第二ブロック１１ｂに，前記洗浄設備用であり，前記マフラー２１を介して排気する独立エンジン２２を配置し、第三ブロック１１ｃに，前記独立エンジン２２によって駆動される高圧水ポンプ２３を配置し、第四ブロック１１ｄに，水槽２５を配置し、第五ブロック１１ｅに，該水槽２５の水を導くところの油噴霧火花点火式貫流水型加熱器２６を配置すると共に，加熱器２６の上部後方に加熱器操作盤３１を設け且つその近傍に，圧力調整ハンドル３２と排圧バルブ３３と圧力計３４を取付けた洗浄設備の制御パネル３０を設けたものである。
【０００７】
図１乃至図４を参考にして請求項２に係る高圧温水洗浄車を説明する。運転席１６の後方に搭載部１１を有する車両１０と，前記搭載部に搭載される高圧温水の洗浄設備２０とを備えた高圧温水洗浄車であって、前記搭載部を，前から後に向かって五つのブロックに分け、第一ブロック１１ａにマフラー２１を配置し、第二ブロック１１ｂに，前記洗浄設備用であり，前記マフラー２１を介して排気する独立エンジン２２を配置すると共に側壁１３に開口する収納庫３５を設け、第三ブロック１１ｃに，前記独立エンジン２２によって駆動される高圧水ポンプ２３を配置すると共に側壁１３に開口する収納庫３５を設け、第四ブロック１１ｄに車両の進行方向右側部に加熱器用油タンク２４を配置すると共に，左側部に水槽２５を配置し、第五ブロック１１ｅに，その右側部に前記水槽２５の水を導くところの油噴霧火花点火式貫流水型加熱器２６を配置すると共に，左側部にホース２８を巻回したホースリール２７を配置し、更に第五ブロックの加熱器２６の上部後方に加熱器操作盤３１を設けると共に，その近傍に，圧力調整ハンドル３２と排圧バルブ３３と圧力計３４を取付けた洗浄設備の制御パネル３０を設けたものである。
【０００８】
図４乃至図７を参考にして請求項３に係る高圧温水洗浄車を説明する。運転席１６の後方に搭載部１１を有する車両１０と，前記搭載部１１に搭載される高圧温水の洗浄設備２０とを備えた高圧温水洗浄車であって、前記搭載部１１を，前から後に向かって五つのブロックに分け、第一ブロック１１ａにマフラー２１を配置すると共に車両進行方向左側下部に加熱器用油タンク２４を配置すると共に右側下部に軽油タンク２４ｆの前半部を配置し、第二ブロック１１ｂに，前記洗浄設備用であり，前記マフラー２１を介して排気する独立エンジン２２を配置すると共に、右側下部に軽油タンク２４ｆの後半部を配置し、第三ブロック１１ｃに独立エンジン２２によって駆動される高圧水ポンプ２３を配置し、第四ブロック１１ｄの下部に，水槽２５を配置すると共にその上部に収納庫３５を設け、第五ブロック１１ｅに加熱器用油タンク２４から油が送られると共に水槽２５の水を導くところの油噴霧火花点火式貫流水型加熱器２６を配置し，第五ブロックの加熱器２６の上部後方に加熱器操作盤３１を設けると共に，その近傍に，圧力調整ハンドル３２と排圧バルブ３３と圧力計３４を取付けた洗浄設備の制御パネル３０を設けたものである。
【考案の効果】
【０００９】
この考案に係る高圧温水洗浄車１は、搭載部１１を備える車両１０と、その搭載部１１に搭載する洗浄設備２０とで構成し、搭載部１１を、前から後に向かって五つのブロックに分け、第一ブロック１１ａにマフラー２１、第二ブロック１１ｂに独立エンジン２２、第三ブロック１１ｃに高圧水ポンプ２３、第四ブロック１１ｄに水槽２５、そして、第五ブロック１１ｅに加熱器２６を配置し、さらに、第五ブロック１１ｅの上部後方に、加熱器操作盤３１および洗浄設備２０の制御パネル３０を設けたので、以下の効果を発揮する。
【００１０】
すなわち、上記の構成により、車両１０の搭載部１１に、洗浄設備２０をコンパクトに搭載することができ、車両１０の小型化を図ることができる。また、備品を収納するための収納スペースを充分に確保して、収納庫３５などを設けることができる。
【００１１】
また、左右両端部に収納スペースを利用して収納庫３５を設けたので、この収納庫３５に必要な備品を収納することができる。また、第四ブロック１１ｄの左側端部または右側端部に、収納スペースを利用して梯子３６を収納したので、当該梯子３６を利用して高圧温水洗浄車１の屋根（天壁１２）などに容易に登って必要な作業を行うことができる。
【図面の簡単な説明】
【００１２】
【図１】本考案に係る高圧温水洗浄車の第一の実施形態を示す一部切欠平面図である。
【図２】図１に示す高圧温水洗浄車の一部切欠側面図である。
【図３】図２に示す高圧温水洗浄車の背面図である。
【図４】本考案に係る高圧温水洗浄車の第一及び第二の実施形態の高圧温水の流れを示す説明図である。
【図５】本考案に係る高圧温水洗浄車の第二の実施形態を示す一部切欠平面図である。
【図６】図５に示す高圧温水洗浄車の側面図である。
【図７】図５に示す高圧温水洗浄車の背面図である。
【考案を実施するための形態】
【００１３】
本考案に係る高圧温水洗浄車１の一実施形態を、図１乃至図４に示しており、これに基づいて説明する。これは、運転席１６の後方に大きな搭載部１１を有するトラックタイプの車両１０と、この搭載部１１に搭載された高圧温水の洗浄設備２０とを備える。車両１０の搭載部１１は、前から後ろに向かって、第一ブロック１１ａから第五ブロック１１ｅの五つのブロックに仮想的に分割される。なお、この分割は、実際に仕切り壁などを使用して全体的あるいは部分的に行うことも可能である。
【００１４】
洗浄設備２０は、マフラー２１、独立エンジン２２、高圧水ポンプ２３、加熱器用油タンク２４、水槽２５、噴霧火花点火式貫流水型加熱器２６、ホースリール２７および制御パネル３０を備える。なお、搭載部１１には、天壁１２および一対の側壁１３を設ける共に、その後端部には、シリンダー機構１５によって上下方向に回動自在なバックドア１４を設けている。これにより、洗浄設備２０を囲んで保護している。なお、２１ａはマフラー排気口である。
【００１５】
そして、第一ブロック１１ａにマフラー２１を配置し、第二ブロック１１ｂに、洗浄設備２０にのみ使用される独立エンジン２２を配置する。この独立エンジン２２の排気は、第一ブロック１１ａに設けたマフラー２１を通して行う。
【００１６】
また、第三ブロック１１ｃに高圧水ポンプ２３を配置し、第四ブロック１１ｄには、その右側部に加熱器用油タンク２４を配置すると共に、左側部に水槽２５を配置する。そして、第五ブロック１１ｅには、その右側部に加熱器２６を配置すると共に、左側部にホース２８を巻回したホースリール２７を配置する。
【００１７】
なお、第五ブロック１１ｅの加熱器２６の上部後方に加熱器制御盤３１を設けて、加熱器２６の水温を調節する。また、第五ブロック１１ｅのホースリール２７の上部後方に、加熱器制御盤３１に隣接して制御パネル３０を設け、当該制御パネル３０に、圧力調整ハンドル３２と排圧バルブ３３と圧力計３４を取付けて、高圧温水の圧力を調整する。
【００１８】
また、本実施形態の高圧温水洗浄車１は、第三ブロック１１ｃの左右両端部（高圧水ポンプ２３の左右両側部分）のそれぞれに収納庫３５を設けている。さらに、第四ブロック１１ｄにおいては、必要に応じ水槽２５の上側に前ヒンジ式の上開蓋３８付きの荷物入れ３７が設置されており、梯子３６を利用して荷物の積込み積卸しができるようにしてある。
【００１９】
本実施形態に係る高圧温水洗浄車１は、高圧の温水をホース２８から噴射して建物などの対象物を洗浄するものであり、その際の高圧温水の流れを、図４を参照して以下に説明する。
【００２０】
まず、洗浄を必要とする目的地まで車両１０を走らせる。目的地では、車両１０を停車させて、洗浄設備２０用の独立エンジン２２を駆動し、高圧水ポンプ２３を作動すると共に、加熱器用油タンク２４の燃料油を使用して加熱器２６を加熱する。
【００２１】
高圧水ポンプ２３が作動することによって、水槽２５内の水が、開放された三方コック４１を通過して、当該高圧水ポンプ２３および調圧ユニット４０を通り、高圧状態で加熱器２６に達する。加熱器２６に達した水は、当該加熱器２６によって加熱され、ホースリール２７から解かれたホース２８を通って洗浄の対称物に、高圧の温水状態で噴射される。従って、水が高圧で温水であるために、対象物の汚れを効果的に除去することができる。
【００２２】
なお、水槽２５にはドレンパイプ４２およびオーバーフロー部４３を設け、水槽２５内の水量を調節している。また、高圧水ポンプ２３には安全弁４４やエアー抜きバルブ４５を連結し、異常な圧力上昇からの保護や、配管内のエアー抜きを簡単にしている。また、調圧ユニット４０とホースリール２７との間には、中継バルブ４６、送水バルブ４７、圧力スイッチ４８、フローセンサー４９、第二温度センサー５２および送水口５１を設け、水の流れや温度を調節している。
【００２３】
さらに、フローセンサー４９と加熱器２６との間には第一温度センサー５０を設けて、異常な温度上昇時には加熱器燃焼を停止するようにしている。なお、洗浄設備２０の制御パネル３０には、前記した圧力調整ハンドル３２、排圧バルブ３３および圧力計３４の他に電磁弁５３を設け、水の圧力調整を行っている。
【００２４】
こうした構成の本実施形態に係る高圧温水洗浄車１は、以下の作用効果を発揮することができる。
【００２５】
［イ］大きな搭載部１１を備える車両１０と、その搭載部１１に搭載する洗浄設備２０とで構成し、搭載部１１を、前から後に向かって五つのブロックに分け、第一ブロック１１ａにマフラー２１、第二ブロック１１ｂに独立エンジン２２、第三ブロック１１ｃに高圧水ポンプ２３、第四ブロック１１ｄの右側部に加熱器用油タンク２４および左側に水槽２５、そして、第五ブロック１１ｅの右側部に加熱器２６および左側部にホースリール２７をそれぞれ配置し、さらに、第五ブロック１１ｅの加熱器２６およびホースリール２７の上部後方に、加熱器操作盤３１および制御パネル３０を設けたので、搭載部１１に、洗浄設備２０をコンパクトに搭載することができる。これにより、車両１０の小型化を図ることができる。
【００２６】
［ロ］上記と同じ理由によって、搭載部１１に収納スペースを充分に確保することができる。具体的には、第二ブロック１１ｂの左右両端部と、第三ブロック１１ｃの左右両端部のそれぞれに収納庫３５を設けている。従って、この収納庫３５に必要な備品を収納することができる。
【００２７】
［ハ］第四ブロック１１ｄの左側端部に、収納スペースの外側に梯子３６を設置してある。
【００２８】
［ニ］高圧な温水をホース２８から噴射することができるので、建物などの対象物の汚れを効果的に除去することができる。
【符号の説明】
【００２９】
１        高圧温水洗浄車
１０      車両
１１      搭載部
１１ａ    第一ブロック
１１ｂ    第二ブロック
１１ｃ    第三ブロック
１１ｄ    第四ブロック
１１ｅ    第五ブロック
１２      天壁
１３      側壁
１４      バックドア
１５      シリンダー機構
１６      運転席
２０      洗浄設備
２１      マフラー
２１ａ    マフラー排気口
２２      独立エンジン
２３      高圧水ポンプ
２４      加熱器用油タンク
２４ｆ    軽油タンク
２５      水槽
２６      油噴霧火花点火式貫流水型加熱器
２７      ホースリール
２８      ホース
３０      制御パネル
３１      加熱器操作盤
３２      圧力調整ハンドル
３３      排圧バルブ
３４      圧力計
３５      収納庫
３６      梯子
３７      荷物入れ
３８      蓋
４０      調圧ユニット
４１      三方コック
４２      ドレンパイプ
４３      オーバーフロー部
４４      安全弁
４５      エアー抜きバルブ
４６      中継バルブ
４７      送水バルブ
４８      圧力スイッチ
４９      フローセンサー
５０      第一温度センサー
５１      車外送水口
５２      第二温度センサー
５３      電磁弁
【図１】
0003212699.tif 000003
【図２】
0003212699.tif 000004
【図３】
0003212699.tif 000005
【図４】
0003212699.tif 000006
【図５】
0003212699.tif 000007
【図６】
0003212699.tif 000008
【図７】
0003212699.tif 000009